(57)【要約】【課題】上枠と縦枠との組立構造が簡単で、上枠と縦枠の位置決め調整及び組立作業が容易なエレベーター装置の三方枠と、それを用いたエレベーター装置及びエレベーター装置の三方枠の組立方法を提供する。【解決手段】本発明に係るエレベーター装置の三方枠は、一対の縦枠と、前記一対の縦枠の頂部を連結する上枠とを有するエレベーター装置の三方枠において、前記上枠は、主面部及び側面からなり、前記縦枠は、主面部、側面及び見付面からなり、前記縦枠の前記主面部の頂部は、前記主面部の頂部から突出する位置決め用突起を有し、前記縦枠の前記見付面の頂部は、前記見付面の頂部から突出する位置決め用突起を有し、前記上枠の前記主面部には、前記縦枠の前記主面部の頂部に設けられた前記位置決め用突起が挿入される挿入切欠きが設けられ、前記上枠の前記主面部の端部には、前記縦枠の前記見付面の頂部に設けられた前記位置決め用突起が嵌合される位置決め用切欠きが設けられていることを特徴とする。【選択図】  図３
2016069135.tif 000002
【特許請求の範囲】
【請求項１】
一対の縦枠と、前記一対の縦枠の頂部を連結する上枠とを有するエレベーター装置の三方枠において、
前記上枠は、主面部及び側面からなり、前記縦枠は、主面部、側面及び見付面からなり、
前記縦枠の前記主面部の頂部は、前記主面部の頂部から突出する位置決め用突起を有し、
前記縦枠の前記見付面の頂部は、前記見付面の頂部から突出する位置決め用突起を有し、
前記上枠の前記主面部には、前記縦枠の前記主面部の頂部に設けられた前記位置決め用突起が挿入される挿入切欠きが設けられ、
前記上枠の前記主面部の端部には、前記縦枠の前記見付面の頂部に設けられた前記位置決め用突起が嵌合される位置決め用切欠きが設けられていることを特徴とするエレベーター装置の三方枠。
【請求項２】
前記縦枠の前記主面部に設けられた前記位置決め用突起は、前記縦枠の前記主面部の端部が前記縦枠の長手方向に沿って延長された凸部であり、
前記縦枠の前記見付面に設けられた前記位置決め用突起は、前記見付面の端部が前記縦枠の長手方向に沿って延長された凸部であることを特徴とする請求項１記載のエレベーター装置の三方枠。
【請求項３】
さらに、前記縦枠は、前記縦枠の主面部、前記側面及び前記見付面に沿って、前記縦枠に重ねて設けられた裏板部材を有し、
前記縦枠の前記主面部の頂部が有する前記位置決め用突起は、前記裏板部材の、前記縦枠の前記主面部に重なる面の端部が前記縦枠の長手方向に沿って延長されたものであり、
前記縦枠の前記見付面の頂部が有する前記位置決め用突起は、前記裏板部材の、前記縦枠の前記見付面に重なる面の端部が前記縦枠の長手方向に沿って延長されたものであることを特徴とする請求項１記載のエレベーター装置の三方枠。
【請求項４】
前記位置決め用突起は、根元に曲げ倣い用切欠きを有することを特徴とする請求項１乃至３のいずれか１項に記載のエレベーター装置の三方枠。
【請求項５】
前記見付面の頂部が有する前記位置決め用突起は、前記位置決め用切欠きの端部に係合する引掛け窪みを更に有することを特徴とする請求項１乃至４のいずれか１項に記載のエレベーター装置の三方枠。
【請求項６】
昇降路に設けられた乗りかごと、釣り合いおもりと、前記乗りかご及び前記釣り合いおもりに接続された主ロープと、前記主ロープが巻きかけられたシーブを有する巻上機と、を有するエレベーター装置において、
前記乗りかごは、乗客が乗降するかご戸を有し、
前記昇降路に隣接する建屋は、乗客が乗降する乗り場に前記かご戸に対応して設けられた乗場戸を有し、
前記乗場戸の外周は、請求項１乃至５のいずれか１項に記載のエレベーター装置の三方枠を有することを特徴とするエレベーター装置。
【請求項７】
一対の縦枠と、前記一対の縦枠の頂部を連結する上枠とを有するエレベーター装置の三方枠の組立方法において、
前記上枠は、主面部及び側面からなり、前記縦枠は、主面部、側面及び見付面からなり、
前記縦枠の前記主面部の頂部は、前記主面部の頂部から突出する位置決め用突起を有し、
前記縦枠の前記見付面の頂部は、前記見付面の頂部から突出する位置決め用突起を有し、
前記上枠の前記主面部には、挿入切欠きが設けられ、
前記上枠の前記主面部の端部には、位置決め用切欠きが設けられ、
前記縦枠の前記主面部の頂部に設けられた前記位置決め用突起を、前記上枠の前記挿入切欠きに挿入する工程と、
前記縦枠の前記見付面の頂部に設けられた前記位置決め用突起を、前記上枠の前記位置決め用切欠きに嵌合する工程と、
前記上枠と前記縦枠の位置合わせを行う工程と、
前記位置決め用突起に対して、前記上枠の前記主面部と重なるように塑性変形を加えて前記上枠と前記縦枠を固定する工程と、を有することを特徴とするエレベーター装置の三方枠の組立方法。
【請求項８】
前記見付面の前記位置決め用突起は、引掛け窪みを更に有し、
前記縦枠の前記見付面の頂部に設けられた前記位置決め用突起を、前記上枠の前記位置決め用切欠きに嵌合する工程において、
前記縦枠に対して弾性変形を加えながら前記縦枠の前記見付面の頂部に設けられた前記位置決め用突起を前記位置決め用切欠きに嵌合し、
前記縦枠の復元力によって、前記上枠の位置決め用切欠きと前記引掛け窪みを係合させることを特徴とする請求項７記載のエレベーター装置の三方枠の組立方法。
【発明の詳細な説明】
【技術分野】
【０００１】
この発明はエレベーター装置の三方枠、それを用いたエレベーター装置及びエレベーター装置の三方枠の組立方法（固定方法）に関する。
【背景技術】
【０００２】
一般に、エレベーターの乗り場出入口のエレベーター三方枠（以下、三方枠とも称する）は、上枠と一対の縦枠とを略コの字形に連結して構成される。上枠と縦枠の連結は、従来ボルト及びナット等を用いて行われており、連結部には折り曲げ成形を施した締結用のフランジもしくはブラケットが用いられている。
【０００３】
三方枠は、用途上意匠性が重視される。三方枠を構成する面自体の意匠性の他、上枠と縦枠が連結される部位においても、隙間の発生や上枠と縦枠の繋ぎ目のずれが許容されないこともある。そのため、三方枠の組立において意匠性を得る為の連結・調整作業に多大な時間がかかっている。
【０００４】
組立が容易な三方枠として、例えば特許文献１（特開２０１１‐２６０２４号公報）には、板金折り曲げ加工による縦枠の頂部に板金折り曲げ加工による上枠が連結されたエレベーターの三方枠において、上記上枠に設けられた係合孔と、上記縦枠に設けられ、上記上枠の上記係合孔に挿入された位置で塑性変形されて、上記縦枠と上枠とを互いに固定する係合片とを備えたことを特徴とするエレベーターの三方枠が開示されている。
【先行技術文献】
【特許文献】
【０００５】
【特許文献１】特開２０１１‐２６０２４号公報
【発明の概要】
【発明が解決しようとする課題】
【０００６】
上述した特許文献１の上枠と縦枠の組立構造では、上枠と縦枠の位置決め調整に時間がかかる。また、部品点数も多く製作コストがかかるといった問題があった。
【０００７】
本発明の目的とするところは、上枠と縦枠との組立構造が簡単で、上枠と縦枠の位置決め調整及び組立作業が容易なエレベーター装置の三方枠と、それを用いたエレベーター装置及びエレベーター装置の三方枠の組立方法を提供することにある。
【課題を解決するための手段】
【０００８】
本発明は、上記目的を達成するため、一対の縦枠と、該一対の縦枠の頂部を連結する上枠とを有するエレベーター装置の三方枠において、上枠は、主面部及び側面からなり、縦枠は、主面部、側面及び見付面からなり、縦枠の主面部の頂部は、主面部の頂部から突出する位置決め用突起を有し、縦枠の前記見付面の頂部は、見付面の頂部から突出する位置決め用突起を有し、上枠の主面部には、縦枠の主面部の頂部に設けられた位置決め用突起が挿入される挿入切欠きが設けられ、上枠の主面部の端部には、縦枠の見付面の頂部に設けられた位置決め用突起が嵌合される位置決め用切欠きが設けられていることを特徴とするエレベーター装置の三方枠を提供する。
【発明の効果】
【０００９】
本発明によれば、締結用部品及び締結用工具が不要で、上枠と縦枠の組立及び位置決め調整が容易なエレベーター装置の三方枠と、それを用いたエレベーター装置及びエレベーター装置の三方枠の組立方法を提供することができる。上記した以外の課題、構成及び効果は、以下の実施形態の説明により明らかにされる。
【図面の簡単な説明】
【００１０】
【図１】本発明に係るエレベーター装置の一例を示す模式図である。
【図２】図１の三方枠の全容を示す概略斜視図である。
【図３】本発明の第一の実施例に係るエレベーター三方枠の組立部の要部を展開して模式的に示す斜視図である。
【図４】本発明の第一の実施例に係る三方枠の上枠と縦枠の組付け状態を模式的に示す断面斜視図である。
【図５】本発明の第一の実施例に係る三方枠の上枠と縦枠の固定後の状態を模式的に示す斜視図である。
【図６】曲げ倣い用切欠きの形状の別例を示す斜視図である。
【図７】本発明の第二の実施例に係るエレベーター三方枠組立部の要部を示す斜視図である。
【図８】本発明の第三の実施例に係る縦枠を示す斜視図である。
【発明を実施するための形態】
【００１１】
以下、本発明に係る実施例について、図面を用いて説明する。ただし、本発明はこれらの実施形態に限定されることは無く、本発明の要旨を変更しない範囲で適宜改良や変更を加えることが可能である。
【実施例１】
【００１２】
［エレベーター装置］
図１は本発明に係るエレベーター装置の一例を示す模式図である。図１に示すように、エレベーター装置１００は、昇降路２０内に、乗客を乗せる乗りかご２１と、主ロープ２３を介して乗りかご２１と接続された釣り合いおもり２２と、主ロープ２３が巻きかけられたシーブ（図示せず）を有する巻上機２４を有する。乗りかご２１は、乗客が乗降するかご戸３を有し、昇降路２０に隣接する建屋（図示せず）の各階の乗り場に、かご戸３に対応して設けられた乗場戸２６を有する。乗場戸２６の外周に、三方枠２７が設けられる。
【００１３】
［エレベーター装置の三方枠及び三方枠の組立方法］
図２は図１の三方枠２７の全容を示す概略斜視図である。図２に示すように、三方枠２７は、建屋の乗場床１と壁２に取り付けられて門型を構成する構造体であり、一対の平行な縦枠５と、一対の縦枠５の上部を連結する上枠４からなる。上枠４と縦枠５は、ともに板金を折り曲げ加工によって形成した部材である。上枠４の側面端６とそれに連結される縦枠５の見付面７は、人の目に触れる部分でもあり、意匠上一致することが要求される。
【００１４】
図３は本発明に係るエレベーター装置の三方枠の上枠４と縦枠５の組立部の要部を展開して模式的に示した斜視図である。図３に示すように、縦枠５は、主面部９及び一対の側面１６及び見付面７からなる。主面部９の頂部（頂端部）は、頂部から縦枠５の長手方向に延長する位置決め用突起８ａを有する。同様に、見付面７の頂部は、頂部から縦枠５の長手方向に延長する位置決め用突起８ｂを有する。位置決め用突起８ａ及び８ｂの根元（主面部９と位置決め用突起８ａの境界及び見付面７と位置決め用突起８ｂの境界）には、それぞれ曲げ倣い用切欠き１３ａ及び１３ｂが設けられている。
【００１５】
上枠４は、主面部９´及び一対の側面１６´からなる。主面部９´には、縦枠５の位置決め用突起８ａが挿入される挿入切欠き１０が設けられる。挿入切欠き１０の切欠き幅（主面部９´の幅方向の大きさ）は、対応する位置決め用突起８ａの幅（主面部９の幅方向の大きさ）より大きくし、挿入が容易にできる寸法とすることが望ましい。具体的には、位置決め用突起８ａの幅よりも０．５ｍｍ程度大きくすることが好ましい。
【００１６】
上枠４の主面部９´の端部（側端面）６ｂは、縦枠５の位置決め用突起８ｂが嵌合可能な位置決め用切欠き１１を有する。位置決め用切欠き１１の切欠き深さ（主面部９´の長手方向の大きさ）は、見付面７（縦枠５）の板厚と同じであることが好ましい。また、位置決め用切欠き１１の幅（主面部９´の幅方向の大きさ）は、位置決め用突起８ｂと同じ幅とする。
【００１７】
図４は本発明の第一の実施例に係る三方枠の上枠と縦枠の組付け状態を模式的に示す断面斜視図である。図４は、縦枠５の位置決め突起８ａを上枠４の挿入切欠き１０へ挿入した状態を示す。上枠４と縦枠５の結合作業に当たっては、図４に示すように縦枠５の位置決め用突起８ａを対応する上枠４の挿入切欠き１０に挿入し、上枠４の主面部９´と縦枠５の頂部が接触するようにする。このとき、縦枠５の見付面７の頂部に設けられた位置決め用突起８ｂの裏側の面（接触面）１２と上枠４に設けられた位置決め用切欠き１１の面とを接触させることで、上枠４の端部６ｂと縦枠５の見付面７の表面が同一直線上に並ぶように位置決めをすることができる。
【００１８】
図５は本発明の第一の実施例に係る三方枠の上枠と縦枠の結合後の状態を模式的に示す斜視図である。図５に示すように、位置決め用突起８ａの上端を上枠４の主面部９´へと近づける方向へ力を加え塑性変形させ（折り曲げ）、また、縦枠５の位置決め用突起８ｂを上枠４の主面部９´へと近づける方向へ力を加え塑性変形させる（折り曲げる）ことで上枠４と縦枠５を固定する。上述したように、位置決め用突起８ａ及び８ｂの根元に曲げ倣い用切欠き１３ａ及び１３ｂを設けることで、曲げ倣い用切欠１３ａ及び１３ｂの形状及び寸法によって、位置決め用突起８ａ及び８ｂの塑性変形に必要な力を任意に変更することができ、工具を要さず塑性変形を施し上枠４と縦枠５を固定することができる。曲げ倣い用切欠１３ａ及び１３ｂは、本実施例では主面部９の幅方向に長い楕円形の穴としているが、形状に特に限定は無い。図６は曲げ倣い用切欠きの形状の別例を示した斜視図である。図６に示すように、主面部９及び見付面７に設けた曲げ倣い用切欠き１３ａ´及び１３ｂ´は、楕円形状の切欠きではなく、半円形状の切欠き（窪み）であってもよい。また、楕円形状の切欠きと半円形状の切欠きの両方を設けてもよい。
【００１９】
本発明に係る三方枠の組立方法を以下にまとめる。
（１）縦枠５の位置決め用突起８ａを、上枠４の挿入切欠き１０に挿入する。
（２）縦枠５の位置決め用突起８ｂを、上枠４の位置決め用切欠き１１に嵌合する。
（３）上枠５の端部６ｂと見付面７の表面が同一直線上に並ぶよう、上枠４と縦枠５の位置を微調整する。また、上枠４の側面１６´の端部６ａと、縦枠５の見付面７の端部１７が同一直線状に並ぶよう、上枠４と縦枠５の位置を微調整する。
（４）位置決め用突起８ａ及び８ｂを折り曲げ、上枠４と縦枠５を固定する。
【００２０】
本発明に係る三方枠及び三方枠の組立方法によれば、上記（１）及び（２）の工程により、上枠４と縦枠５を仮位置決め（仮固定）しつつ、上枠４と縦枠５の位置を微調整することができるので、上枠４と縦枠５の位置合わせ（組立）の作業性が容易となる。特に、上記（３）の上枠４と縦枠５の位置の微調整は高所で行われることから、作業性の容易さが非常に重要となる。本発明では上枠４と縦枠５を仮位置決めしてから微調整を行うので、仮位置決めをせずに固定する場合に比べて、上枠４と縦枠５の位置の調整が行いやすくなる。また、位置決め用突起８ａ及び８ｂを折り曲げることで上枠４と縦枠５を固定する構成としたことで、ボルト及び工具を使わずに結合することができる。この結果、三方枠の部品点数を低減し、組立及び据え付け作業を省力化することができる。
【実施例２】
【００２１】
次に、図７を用いて本発明の第二の実施例を説明する。なお、図１〜図６と同一符号は同一部品を示すので再度の説明は省略する。
【００２２】
図７は本発明の第二の実施例に係るエレベーター三方枠組立部の要部を示す斜視図である。第一の実施例では、縦枠５の見付面７に設けた位置決め用突起８ｂに曲げ倣い用切欠き１３ｂを設け、塑性変形を施すことで上枠４と縦枠５を固定（結合）する形態であったが、第二の実施例においては、位置決め用突起８ｃのうち少なくとも一つに曲げ倣い用切欠き１３を設けず、引掛け窪み１４を設ける形態としたことが、第一の実施例と比較した際の変更点である。
【００２３】
引掛け窪み１４は、下端が見付面７の頂部の延長となる位置とし、窪み高さは上枠４の主面部９´の板厚と同等、もしくは板厚以下とし上部を斜めに切欠く形状とする。ここで、引掛け窪み１４を有する位置決め用突起８ｃに対応する上枠４の位置決め用切欠き１１は、上枠４と縦枠５を固定位置に配置した際に、引掛け窪み１４の端部（側面端）が位置決め用切欠き１１の端部となり、位置決め用突起８ｃの幅以上となる位置及び寸法とする。
【００２４】
上枠４と縦枠５の結合作業に当たって、縦枠５の位置決め用突起８ｃを上枠４の位置決め用切欠き１１に挿入する。このとき、縦枠５は板金（弾性体）を折り曲げ加工して形成した部材であるため、ある程度の力を加えると弾性変形する。位置決め用突起８ｃの位置決め用切欠き１１への挿入時には、縦枠５の折返部（縦枠５の側面１６と見付面７の境界付近）を弾性変形させながら（２つの見付面７が近付く方向に力を加えながら）挿入する。挿入が完了し、縦枠５に加えている力を無くすと、縦枠５の復元力によって縦枠５の引掛け窪み１４の端部が上枠４の位置決め用切欠き１１へと係止され、上枠４と縦枠５が固定される。
【００２５】
実施例２の三方枠の組立方法を以下にまとめる。
（１）縦枠５の位置決め用突起８ａを、上枠４の挿入切欠き１０に挿入する。
（２）縦枠５の折返部に対して、縦枠５の見付面７が互いに近づく方向に力を加えながら、縦枠５の位置決め用突起８ｃを上枠４の位置決め用切欠き１１に挿入する。
（３）上枠５の端部６ｂと見付面７の表面が一直線上に並ぶよう、上枠４と縦枠５の位置を微調整する。また、上枠４の側面１６´の端部６ａと、縦枠５の見付面７の端部１７が同一直線状に並ぶよう、上枠４と縦枠５の位置を微調整する。
（４）縦枠５の折返部に加えていた力を無くし、上枠４の位置決め用切欠き１１に縦枠５の位置決め用突起８ｃを係止する。
（５）位置決め用突起８ａを折り曲げ、上枠４と縦枠５を固定する。
【実施例３】
【００２６】
図８は本発明の第三の実施例を示す斜視図である。上記実施例１及び２では縦枠５の位置決め用突起８ａ、８ｂ及び８ｃを、縦枠５と一体に（縦枠５の延長部として）設けているが、図８のように、位置決め用突起を持たない縦枠５に対し、位置決め突起８ｃを設けた裏板部材１５を結合しても同様の効果が得られる。本実施形態では、位置決め用突起を縦枠５よりも小さい（例えば、高さ３０〜５０ｍｍ）裏板部材１５に形成すればよいので、位置決め用突起の加工をより簡単に行うことができる。裏板部材１５の縦枠５への取り付けは、特に限定は無く、溶接等を用いることができる。
【００２７】
以上説明したように、本発明によれば、締結用部品及び締結用工具が不要で、上枠と縦枠の組立及び位置決め調整が容易なエレベーター装置の三方枠と、それを用いたエレベーター装置及びエレベーター装置の三方枠の組立方法を提供することができることが示された。
【００２８】
なお、本発明は上記した実施例に限定されるものではなく、様々な変形例が含まれる。例えば、上記実施例は本発明を分かりやすく説明する為に詳細に説明したものであり、必ずしも説明したすべての構成を備えるものに限定されるものではない。また、ある実施例の構成の一部を他の実施例の構成に置き換えることが可能であり、また、ある実施例の構成に他の実施例の構成を加えることも可能である。また、各実施例の構成の一部について、他の構成の追加・削除・置換をすることが可能である。
【符号の説明】
【００２９】
１…乗場床、２…建屋の壁、３…かご戸、４…上枠、５…縦枠、６…側面端、７…見付面、８ａ，８ｂ，８ｃ，８ｄ，８ｅ…位置決め用突起、９，９´…主面部、１０…挿入切欠き、１１…位置決め用切欠き、１２…接触面、１３ａ，１３ｂ，１３ｃ，１３ｄ，１３ａ´，１３ｂ´，…曲げ倣い用切欠き、１４…引掛け窪み、１５…裏板部材、１６，１６´…側面、１７…見付面の端部、２０…昇降路、２１…乗りかご、２２…釣り合いおもり、２３…主ロープ、２４…巻上機、２６…乗場戸、２７…三方枠、１００…エレベーター装置。
【図１】
2016069135.tif 000003
【図２】
2016069135.tif 000004
【図３】
2016069135.tif 000005
【図４】
2016069135.tif 000006
【図５】
2016069135.tif 000007
【図６】
2016069135.tif 000008
【図７】
2016069135.tif 000009
【図８】
2016069135.tif 000010